(57)【特許請求の範囲】
【請求項１】
供給される遊技球が流下する球供給通路と、
前記球供給通路から流下してきた遊技球を遊技機に設けられた球受皿へ導く球排出通路と、
前記球供給通路から流下してきた遊技球を遊技機の外部へ導く球抜通路と、
前記球供給通路の一側に配置され電気的駆動手段により作動し該球供給通路を流下する遊技球を受けて一個ずつ前記球排出通路へ排出する球払出手段と、
前記球供給通路の他側であって前記球払出手段の対向位置に設けられ、その上端部が軸着されて回動する可動球受部材と、
前記可動球受部材の下方位置に設けられ、その下端部が軸着されて回動し前記球供給通路から流下してきた遊技球を前記球排出通路若しく前記球抜通路のいずれに導くかを振分ける流路切替弁とを備え、
常態においては、前記可動球受部材が前記球払出手段との間で前記球供給通路の最下端の遊技球を保持し、且つ前記流路切替弁が前記球排出通路を開いて前記球抜通路を閉じ、
球抜き時においては、前記可動球受部材が前記球供給通路から離れるように可動すると共に前記流路切替弁が前記球抜通路を開いて前記球排出通路を閉じるようになっていることを特徴とする遊技機の球払出装置。
【発明の詳細な説明】
【技術分野】
【０００１】
本発明は、遊技機において遊技者に貸し球や賞球を払い出す球払出装置に関するものである。
【背景技術】
【０００２】
遊技機として代表的なパチンコ遊技機が設置されているパチンコホールでは、閉店後に列設されるパチンコ遊技機裏面の球通路の掃除を行う場合、あるいは球通路や球払出装置に不具合が生じ、それらを新しいものと交換する場合に、パチンコ遊技機からその中に残っている遊技球としてのパチンコ球を抜き取るようにしている。通常、このパチンコ球の抜取作業は、球払出装置で行なわれている。
【０００３】
このような球払出装置として、例えば特許文献１に示されるようなものがあり、該球払出装置は、球供給通路の下方に内側へ傾斜し球受皿にパチンコ球を導く球排出通路と、球供給通路の下方に該球供給通路と直線上に連なりパチンコ球をパチンコ遊技機の外部へ導く球抜通路が形成されている。また、球供給通路には、球供給通路を流下するパチンコ球を受けて、パチンコ球を一個ずつ球排出通路に排出するスプロケットが配置されていると共に、スプロケットと対向する反対側には、上端部で軸着され自在に回動する球抜き部材が設けられている。そして、球抜き部材は、常態において弾性変形可能な係止爪を本体ケースの被係合部に弾性係合させることで球抜通路を閉じる位置にあり、スプロケットが停止しているときは、球供給通路の最下端のパチンコ球をスプロケットと球抜き部材とによって保持し、スプロケットがステッピングモータによって回転駆動すると、スプロケットの回転と共にパチンコ球が一個ずつ球排出通路に排出されるようになっている。一方、球払出装置内に残ったパチンコ球を球抜きする場合には、本体ケースに係合された係止爪を解除して球抜き部材を球抜き位置に移動させ、球供給通路内のパチンコ球を球抜通路に排出するようになっている。
【先行技術文献】
【特許文献】
【０００４】
【特許文献１】特許第４３２１７４３号公報（第３−９頁、図１、図８）
【発明の概要】
【発明が解決しようとする課題】
【０００５】
しかしながら、特許文献１に記載された発明の場合、球払出装置からパチンコ球を抜き取るべく、球抜き部材を回動させて、球抜通路を開放したとしても、そもそも球排出通路は常に開放していることから、パチンコ球が球排出通路へと流れてしまうことは否めない。特に、球供給通路の最下端にありスプロケットと球抜き部材によって保持されているパチンコ球が落下する時、未だ球抜き部材が球抜通路を完全に開放していないことがあり、このような場合、当該パチンコ球が球抜き部材にガイドされてしまって球排出通路へ排出されてしまうことがよく起こる。そのため、特許文献１記載発明では、本来、球抜き通路から機外に排出するはずのパチンコ球が球受皿へ導かれて残存してしまうという問題を有していた。また、球抜きをする場合、球払出装置から球タンクまでの間に残っている大量のパチンコ球を一気に排出することになるので、パチンコ球はかなりのスピードで流下することになるが、特許文献１記載発明のような構成であると、パチンコ球が勢い余って球排出通路側へ飛入し、球受皿へと排出されてしまうこともある。このように、特許文献１記載発明の場合、球抜きをしたにもかかわらず、球受皿にパチンコ球が残存することが多々あるので、メンテナンス作業終了後に球受皿にパチンコ球が残っていないかをいちいち確認しなければならなくなり、作業効率がきわめて悪くなるという問題があった。
【０００６】
また、特許文献１に記載された発明は、遊技球を抜き取るための球抜部材をスプロケットの対向位置から球抜き口まで１つの部材で構成している。そのため、球抜きを行う場合、球抜き部材をスプロケットから離れる方向へ移動させる際、本体ケースからはみ出してしまうほど大きく回動させる必要があり、球抜きに要する部材のためのスペースとして、球払出装置の内側のみならず、外側にまで確保しなければならず、球抜き部材の可動領域の省スペース化（コンパクト設計）、及び球払出装置の小型化を実現することを困難ならしめていた。
【０００７】
そこで、本発明は上記課題を解決すべくなされたもので、球抜き操作時に球払出装置内の遊技球を全て遊技機の外部と連なる球抜通路へ確実に排出するようにして、遊技球が誤って球排出通路内に排出され遊技機前面の球受皿へ残るといった不具合をなくすと共に、球抜部材の可動領域の省スペース化及び球払出装置の小型化を実現し得る遊技機の球払出装置を提供することを目的とするものである。
【課題を解決するための手段】
【０００８】
かかる目的を達成するため本発明の遊技機の球払出装置は、供給される遊技球が流下する球供給通路と、前記球供給通路から流下してきた遊技球を遊技機に設けられた球受皿へ導く球排出通路と、前記球供給通路から流下してきた遊技球を遊技機の外部へ導く球抜通路と、前記球供給通路の一側に配置され電気的駆動手段により作動し該球供給通路を流下する遊技球を受けて一個ずつ前記球排出通路へ排出する球払出手段と、前記球供給通路の他側であって前記球払出手段の対向位置に設けられた可動球受部材と、前記可動球受部材の下方に位置して前記球供給通路から流下してきた遊技球を前記球排出通路若しく前記球抜通路のいずれに導くかを振分ける流路切替弁とを備え、常態においては、前記可動球受部材が前記球払出手段との間で前記球供給通路の最下端の遊技球を保持し、且つ前記流路切替弁が前記球排出通路を開いて前記球抜通路を閉じ、球抜き時においては、前記可動球受部材が前記球供給通路から離れるように可動すると共に前記流路切替弁が前記球抜通路を開いて前記球排出通路を閉じるようになっていることを特徴としている。
【０００９】
なお、前記可動球受部材は、前記流路切替弁が前記球排出通路へ遊技球を排出し得ない位置に達した以後に可動するようにしておくことが好ましい。
【００１０】
また、前記流路切替弁は、前記球抜通路を開いて前記球排出通路を閉じたときの位置が、前記球払出手段よりも下方であって且つ前記球供給通路から流下してきた遊技球を検出する球検出センサの検出部よりも上方にあるようにすることが好ましい。
【００１１】
なお、ここで使用する「球払出手段」は、凹部と凸部を有する回転体により遊技球の流下を阻止するスプロケットタイプ、螺旋形状の回転体により遊技球の流下を阻止するリードスクリュータイプ、球供給通路に突入して遊技球の流下を阻止する爪状のフリッカータイプのもの等、種々のタイプのものを採用することが可能である。
【発明の効果】
【００１２】
本発明に係る遊技機の球払出装置によれば、常態においては、可動球受部材が球払出手段との間で球供給通路の最下端の遊技球を保持し、且つ流路切替弁が球排出通路を開いて球抜通路を閉じ、球抜き時においては、可動球受部材が球供給通路から離れるように可動すると共に流路切替弁が球抜通路を開いて球排出通路を閉じるようになっていることから、可動球受部材と球払出手段との間から遊技球が落下するときには、すでに球排出通路には遊技球が流れ込めない状態になっており、誤って球排出通路に遊技球が排出されることはない。よって、球抜き後に球受皿に遊技球が残ってしまうという不都合が起こり得ないという効果を有する。また、本発明に係る遊技球の球払出装置によれば、球抜きを可動球受部材と流路切替弁という２部材によって行うようにしたことから、それぞれの部材の可動範囲を少なくし、ひいては球払出装置をコンパクトに設計することが可能になる。
【図面の簡単な説明】
【００１３】
【図１】第一実施の形態に係る球払出装置を備えたパチンコ遊技機の正面図。
【図２】第一実施の形態に係る球払出装置を備えたパチンコ遊技機の背面図。
【図３】第一実施の形態に係る球払出装置の斜視図。
【図４】第一実施の形態に係る球払出装置の分解斜視図。
【図５】（イ）は第一実施の形態に係る球払出装置の正面図、（ロ）は同側面図、（ハ）は同背面図。
【図６】図５（ロ）のＷ−Ｗ線断面図。
【図７】図５（ロ）のＸ−Ｘ線断面図。
【図８】図７のＹ−Ｙ線断面図。
【図９】作用を示す第一実施の形態に係る球払出装置の断面図。
【図１０】作用を示す第一実施の形態に係る球払出装置の断面図。
【図１１】第二実施の形態に係る球払出装置の断面図。
【図１２】第三実施の形態に係る球払出装置の断面図。
【図１３】第四実施の形態に係る球払出装置の断面図。
【図１４】図１３のＺ−Ｚ線断面図。
【図１５】作用を示す第四実施の形態に係る球払出装置の断面図。
【発明を実施するための形態】
【００１４】
以下、本発明に係る遊技機の球払出装置の実施の形態を図面に基づき説明する。本発明は、パチンコ遊技機、アレンジボール遊技機、雀球遊技機、遊技球を遊技媒体として用いる回動式遊技機（パロット：登録商標）といった遊技機に適用されるが、この実施の形態では、パチンコ遊技機を例として説明する。図１は第一実施の形態に係る球払出装置を備えたパチンコ遊技機の正面図、図２は第一実施の形態に係る球払出装置を備えたパチンコ遊技機の背面図である。
【００１５】
パチンコ遊技機Ｐは、縦長方形状の機枠１の前側に一側を軸着して本体枠２が装着され、該本体枠２に遊技盤３が配設されると共に、本体枠２の前面に遊技盤３の前面を覆うようにして透明板保持枠４が開閉自在に装着されている。また、その下方に遊技盤３の下部前面を覆うようにして前板５が同じく開閉自在装着されている。そして、前板５前面に打球発射部（図示せず。）に供給する遊技球であるパチンコ球を貯留するための球受皿６が装着されている。該球受皿６の一側には、打球発射部から発射されるパチンコ球の打球力を調整する打球力調整ハンドル７が装着されている。
【００１６】
一方、パチンコ遊技機Ｐの背面には、遊技盤３の裏面を覆うようにして機構板８が装着されている。該機構板８の上部には、多くのパチンコ球を貯留し供給する球タンク９が配設され、球タンク９の下方には、該球タンク９から排出されるパチンコ球を機構板８の一側へ流下させるタンクレール１０が配設されている。また、タンクレール１０の流下端にはカーブレール１１が設けられると共に、カーブレール１１から下方へ延びる球通路１２の下端には本発明に係る球払出装置Ａ１が配設されている。また、球払出装置Ａ１の下方には、例えばここから排出される賞球又は貸し球としてのパチンコ球を前板５の前面に装着された球受皿６に導く球払出樋１３が設けられている。同時に、球抜き動作をする場合に、球払出装置Ａ１から排出されるパチンコ球をパチンコ遊技機Ｐの外部へ導く球抜樋１４が設けられている。
【００１７】
次に、本発明に係る球払出装置について説明する。図３は第一実施の形態に係る球払出装置の斜視図、図４は第一実施の形態に係る球払出装置の分解斜視図、図５（イ）は第一実施の形態に係る球払出装置の正面図、図５（ロ）は同側面図、図５（ハ）は同背面図、図６は図５（ロ）のＷ−Ｗ線断面図、図７は図５（ロ）のＸ−Ｘ線断面図、図８は図７のＹ−Ｙ線断面図、図９は作用を示す第一実施の形態に係る球払出装置の断面図である。第一実施の形態に係る球払出装置Ａ１は、縦長直方体形状をなす合成樹脂製のケース体１５からなり、該ケース体１５は、パチンコ遊技機Ｐの前面を前方向、同じく背面を後方向として、前側枠１６ａと後側枠１６ｃとこれらの前後方向の中間位置に配置され前後に仕切る中間枠１６ｂとから構成されている。
【００１８】
前記ケース体１５内、この実施の形態では、ケース体１５を構成する前側枠１６ａ内に、球通路１２の流下端と連通し球払出装置Ａ１に供給されたパチンコ球を流下させる球供給通路１７が形成されている。また、球供給通路１７の下方には、球受皿６へパチンコ球を導く球払出樋１３と連通する球排出通路１８、及びパチンコ球をパチンコ機Ｐ外へ排出する球抜樋１４と連通する球抜通路１９が形成されている。なお、前側枠１６ａの内側面には、図４に示すように、球供給通路１７の下端部の側方であり、球抜通路１９の上方に第二規制片４４が突設されている。
【００１９】
前記球供給通路１７の一側には、３枚の羽根２１，２１，２１を等間隔に配設した球払出手段としてのスプロケット２０が前側枠１６ａと中間枠１６ｂとの間に差し渡される第一支軸２２により軸着して配置されている。該スプロケット２０は、球供給通路１７内に羽根２１の一部が介入して自在に回転するようになっている。また、各羽根２１の外周端面は、球供給通路１７を流下するパチンコ球を受け止められるようにその周方向に沿って円弧面状に形成されている。さらに、スプロケット２０の一側面には、従動歯車２３が第一支軸２２に軸着されスプロケット２０と一体に回転するようになっている。
【００２０】
前記球供給通路１７の他側であって、スプロケット２０の対向位置には、前側枠１６ａと中間枠１６ｂとの間に差し渡される第二支軸２４により上端部が軸着され振り子状に回動する可動球受部材２５が配置されている。この可動球受部材２５は、第二支軸２４と同一方向の幅が球供給通路１７の幅よりも若干小さい寸法になっており、球供給通路１７側の面が、常態において球供給通路１７の壁の役割を果たしている。また、可動球受部材２５は、その下半部が第二支軸２４と直交する方向であって球供給通路１７と反対の側に膨出しており、該膨出部分の端面が後述する球抜操作部材４０の第一規制片４３と当接させる支持部２６になっている。さらに、可動球受部材２５の側部（前側枠１６ａ側）には、球抜操作部材４０の第一規制片４３と前側枠１６ａの第二規制片４４とに当接させる係合片２７が形成されている。なお、可動球受部材２５の支持部２６と第一規制片４３、可動球受部材２５の係合片２７と第一規制片４３及び第二規制片４４とが当接し、且つスプロケット２０が停止している状態では、図６鎖線に示すように球供給通路１７を流下するパチンコ球のうち最下端のパチンコ球Ｂ１が、スプロケット２０の羽根２１の周面と可動球受部材２５との間で保持され停止している。
【００２１】
前記可動球受部材２５の下方には、球供給通路１７から流下してきたパチンコ球を球排出通路１８、又は球抜通路１９のいずれかへ振り分けるための流路切替弁３０が、前側枠１６ａと中間枠１６ｂとの間に差し渡される第三支軸３１により軸着されている。この流路切替弁３０は、第三支軸３１が挿通される軸筒部３２から上方に延出させた開閉弁部３３と、該軸筒部３２の端部からほぼ直交状に延びる作用杆３４とからなり、該作用杆３４の先端外側には係合ピン３５が突設されている。
【００２２】
前記球排出通路１８の下部には、投光部５３ａと受光部５３ｂを前後に対向位置させた球検出センサ５４が配置されていて、球排出通路１８から流下してきたパチンコ球を電気的に検出している。なお、球検出センサ５４は、流路切替弁３０の開閉弁部３３が球抜通路１９を開放し、球排出通路１８を閉塞するように傾倒したときに、該傾倒した開閉弁部３３よりも下方に位置するように配置されている。
【００２３】
前記中間枠１６ｂの片側であって後側枠１６ｃ側の面には、後述する球抜操作部材４０が入って上下に摺動させるための縦長の摺動溝３６が形成されている。該摺動溝３６の上部には上下に一対配置される上位置窪み３７ａと下位置窪み３７ｂが設けられ、摺動溝３６の中間部には縦長孔３８が開設され、摺動溝３６の下部には挿通孔３９が開設されている。なお、このように球抜操作部材４０を後側枠１６ｃ側、すなわち、球払出装置Ａ１を構成するケース体１５の壁面内側を摺動するように設けることで、球払出装置自体をコンパクト化することができる。
【００２４】
前記球抜操作部材４０は、その上部に周囲３方向を切り欠いて弾性を持たせた係止片４１が設けられ、図７に示すように該係止片４１の先端部の摺動溝３６側には、摺動溝３６の上位置窪み３７ａと下位置窪み３７ｂに係脱自在に嵌る係止突起４２が設けられている。  また、球抜操作部材４０の中間部には、中間枠１６ｂの摺動溝３６に形成された縦長孔３８に遊挿され前側枠１６ａ側へ突出する規制部としての第一規制片４３が設けられている。さらに、球抜操作部材４０の下部には、流路切替弁３０における作用杆３４の係合ピン３５が遊嵌する逆Ｌ字状の係合孔４５が開設されている。また、球抜操作部材４０の中央部の後側枠１６ｃ側には、球抜操作部材４０を操作するための摘み片４６が設けられている。
【００２５】
なお、球抜操作部材４０は、通常の状態、すなわち、図７に示すように、その上部に設けられている係止片４１の係止突起４２が摺動溝３６の下位置窪み３７ｂに嵌っている初期位置にある時、下降している。また、この時、球抜操作部材４０の第一規制片４３も下に位置して可動球受部材２５の支持部２６に当接した状態になっている。さらに、可動球受部材２５の係合片２７が球抜操作部材４０の第一規制片４３と前側枠１６ａの第二規制片４４の間に嵌り込んでいて、可動球受部材２５は回動し得ない状態になっている。また、球抜操作部材４０に形成されている係合孔４５も下降しているため、流路切替弁３０の開閉弁部３３が起立して球抜通路１９を閉塞している。
【００２６】
一方、球抜き操作部材４０を上昇させた状態、すなわち、その上部に設けられている係止片４１の係止突起４２が摺動溝３６の上位置窪み３７ａに嵌まっている作動位置にある時、図９に示すように球抜操作部材４０の第一規制片４３が上昇し、可動球受部材２５の支持部２６との当接が解かれ、可動球受部材２５が自由に回動し得る状態になる。また、球抜操作部材４０に形成されている係合孔４５も上昇するため、流路切替弁３０の開閉弁部３３が傾倒して球排出通路１８を閉塞している。この時、可動球受部材２５の第二支軸２４と流路切替弁３０の第三支軸３１との間が開放され、ここに一個のパチンコ球が通過できる幅を有する球抜口２８が形成され、球抜口２８を介して球抜通路１９へパチンコ球を導くことができるようになる。なお、この実施の形態では、可動球受部材２５と流路切替弁３０との間に形成される球抜口２８の幅は、１２ｍｍから１４ｍｍ程度に設定されている。
【００２７】
前記前側枠１６ａの上部には、スプロケット２０の電気的駆動手段となるステッピングモータ４７が装着されている。該ステッピングモータ４７の駆動軸４８は、前側枠１６ａに開設された透孔４９ａと中間枠１６ｂに開設された透孔４９ｂを介して突出し、その先端に駆動歯車５０が取着されている。また、中間枠１６ｂの後面に互いに噛合する上下一対の中間歯車５１ａ，５１ｂが配置されていて、これらは互いに中間枠１６ｂに突設される第四支軸５２ａ，５２ｂに軸着されている。そして、駆動歯車５０と一対の中間歯車５１ａ，５１ｂのうちの一方の中間歯車５１ａとが噛合し、他方の中間歯車５１ｂがスプロケット２０と一体をなす従動歯車２３と噛合している。これにより、ステッピングモータ４７の駆動軸４８が回転すると、スプロケット２０が所定の速度で回転することになる。
【００２８】
次に、上記のように構成された球払出装置の使用方法について説明する。まず、パチンコホールにおいてパチンコ遊技機Ｐの稼働中にあっては、図６に示すように球抜操作部材４０が下降し初期位置に停止している。このとき可動球受部材２５は、その支持部２６が球抜操作部材４０の第一規制片４３に当接していると共に、その係合片２７が球抜操作部材４０の第一規制片４３と前側枠１６ａの第二規制片４４との間に挟まれているため、回動不能となっている。また、流路切替弁３０の開閉弁部３３が起立して球抜通路１９を閉塞している。この状態で、ステッピングモータ４７が停止しているときは、球供給通路１７内を流下するパチンコ球のうち最下端に位置するパチンコ球Ｂ１が、スプロケット２０のいずれかの羽根２１の先端面と可動球受部材２５との間に挟まれて保持されている。なお、可動球受部材２５に係合片２７を設け、これを球抜操作部材４０の第一規制片４３と前側枠１６ａの第二規制片４４との間に挟むようにしたのは、可動球受部材２５が球供給通路１７側に回動してしまわないようにして、球供給通路１７内での球詰りを防ぐためである。
【００２９】
一方、球払出装置Ａ１に球払出しの指令が入ると、ステッピングモータ４７が所定回数回転し、これに伴い球供給通路１７の所定個数のパチンコ球がスプロケット２０の下方へ落下して球排出通路１８に排出される。球排出通路１８に排出されたパチンコ球はすべて球検出センサ５４により検出され、払い出すべき所定量のパチンコ球が検出された時点でスプロケット２０を停止して払い出しを中止する。そして、再び、球供給通路１７内を流下するパチンコ球のうち最下端のパチンコ球が、スプロケット２０のいずれかの羽根２１の先端面と可動球受部材２５の間で保持され停止する。その後は、入賞球の発生信号または貸し球の要求信号があるごとに、こうした動作が繰り返される。
【００３０】
営業が終了して閉店後に列設されるパチンコ遊技機Ｐ裏面の球通路の掃除を行なう場合には、各パチンコ遊技機Ｐからその中に残っているパチンコ球を抜き取ることになるが、作業者が本体枠２を開放し、球払出装置Ａ１を手で操作する。すなわち、球抜操作部材４０の摘み片４６を摘んで引き上げ、球抜操作部材４０を初期位置から作動位置へ摺動させる。これに伴い、図９に示すように流路切替弁３０の作用杆３４が持上げられながら回動し、流路切替弁３０の開閉弁部３３が傾倒して球排出通路１８を閉塞する。また、球抜操作部材４０の第一規制片４３が上昇し可動球受部材２５の支持部２６との当接が解かれるため、可動球受部材２５がスプロケット２０との間で支持していたパチンコ球に押し込まれるようになって球供給通路１７から離れる方向へ回動する。そのため、球供給通路１７に連なっているパチンコ球がすべて球抜口２８を介して球抜通路１９へと排出されていくことになる。
【００３１】
なお、図１０は、球抜操作部材４０を上昇していく過程において、その第一規制片４３が可動球受部材２５の支持部２６との当接から解かれる直前の状態を示すもので、この時、既に流路切替弁３０の開閉弁部３３が傾倒し球排出通路１８を閉塞していることが分かる。すなわち、流路切替弁３０の開閉弁部３３が傾倒して球排出通路１８へパチンコ球を排出し得ない位置に達した以後、球抜操作部材４０の第一規制片４３が可動球受部材２５の支持部２６との当接から解かれるようになっているので、球排出通路１８が閉塞される前に可動球受部材２５が回動することはなく、ひいては、球抜きの際に、誤って球排出通路１８にパチンコ球を流下させてしまうことはない。言い換えれば、球抜操作部材４０の移動に伴って流路切替弁３０の開閉弁部３３が球排出通路１８を閉塞する時間よりも、球抜操作部材４０の第一規制片４３が可動球受部材２５の支持部２６と当接している時間が長くなるように、可動球受部材２５の支持部２６の長さを設定することで、球抜きするすべてのパチンコ球を確実に球抜通路１９へと送り込むことを可能としている。
【００３２】
さらに、流路切替弁３０は、球抜通路１９を開いて球排出通路１８を閉じたときの位置がスプロケット２０よりも下方であって、且つ球供給通路１７から流下してきたパチンコ球を検出する球検出センサ５４よりも上方に位置している。そのため、球抜きを行う際、それらのパチンコ球が誤って検出されることはあり得ず、ひいては、パチンコホールにおいて、遊技者に提供されたパチンコ球数の管理データに悪影響を及ぼすことがない。
【００３３】
図１１は、第二実施の形態に係る球払出装置Ａ２を示すもので、球払出手段としてスクリュー５５を採用している。なお、この実施の形態は、第一実施の形態とスクリュー５５のみが相違しているので、他の構成部分については、第一実施の形態と同一の符号を付して説明する。このスクリュー５５は、外周面に一巻きの羽根５５ａが周設されており、該スクリュー５５が停止しているときは該羽根５５ａと可動球受部材２５との間で球供給通路１７の最下端のパチンコ球Ｂ１が支持されている。そして、スクリュー５５が回転することにより、所定量のパチンコ球が排出される。このような構成の第二実施の形態の球払出装置Ａ２についても、第一実施の形態に係る球払出装置Ａ１と同様な作用・効果が得られる。
【００３４】
図１２は、第三実施の形態に係る球払出装置Ａ３を示すものである。この実施の形態は、上述の実施の形態と共通する構成を多く有している。従って、同一の構成については同一の符号を付すことにより説明を省略し、相違する構成についてのみ説明する。第三実施の形態に係る球払出装置Ａ３は、前述の２つの実施形態に設けられていた前側枠１６ａの第二規制片４４、及び可動球受部材２５の係合片２７がないが、可動球受部材２５の球供給通路１７側の下端に切欠５６を形成し、該切欠５６に球抜通路１９を閉じた状態にある流路切替弁３０の開閉弁部３３の先端が係合するようになっている。これによって、可動球受部材２５が球供給通路１７側に回動してしまわないようにして、球供給通路１７内で球詰りが発生することを防止している。また、可動球受部材２５には、常に可動球受部材２５が第二支軸２４を中心として下方へ付勢されるように重錘５７が埋設されている。なお、このような構成の第三実施の形態の球払出装置Ａ３についても、第一及び第二実施の形態に係る球払出装置Ａ１及びＡ２と同様な作用・効果が得られる。
【００３５】
図１３乃至図１５は、第四実施の形態に係る球払出装置Ａ４を示すものである。この実施の形態は、上述の実施の形態と共通する構成を多く有しているので、同一の構成については同一の符号を付すことにより説明を省略し、相違する構成についてのみ説明する。第四実施の形態に係る球払出装置Ａ４は、球供給通路１７の一側に球払出手段としてのスプロケット２０が設けられていると共に、該球供給通路１７の他側であって、スプロケット２０と対向する位置に水平移動する可動球受部材５８が設けられている。すなわち、球供給通路１７の他側に相当する箇所の前側枠１６ａに上下一対のレール５９，５９が水平に設けられ、該一対のレール５９，５９内に可動球受部材５８が取り付けられている。なお、一対のレール５９，５９間の一端は、球供給通路１７に面して開放されている。
【００３６】
前記可動球受部材５８は、正面縦長の略台形状をなし、その中間枠１６ｂ側に傾斜面６０が形成されている。また、可動球受部材５８の上面と下面のそれぞれに突条６１，６１が設けられ、該突条６１，６１を前側枠１６ａの各レール５９に挿入することによって、可動球受部材５８が両レール５９，５９に沿って往復摺動するようになっている。さらに、可動球受部材５８と前面枠１６ａの側縁部との間に付勢手段としての引っ張りコイルバネ６２が掛け渡され、可動球受部材５８は、常にコイルバネ６２によって球供給通路１７から離れる方向へ付勢されている。また、可動球受部材５８の球供給通路１７と反対側の端面が球抜操作部材４０の第一規制片４３と当接させる支持部６３になっている。
【００３７】
この第四実施の形態に係る球払出装置Ａ４において、球抜操作部材４０が初期位置にある時、可動球受部材５８は、その支持部６３が球抜操作部材４０の第一規制片４３に当接しているため、摺動不能となっている。また、流路切替弁３０の開閉弁部３３が起立して球抜通路１９を閉塞している。この状態で、ステッピングモータ４７が停止しているときは、球供給通路１７内を流下するパチンコ球のうち最下端に位置するパチンコ球Ｂ１が、スプロケット２０のいずれかの羽根２１の先端面と可動球受部材５８との間に挟まれて保持されている。
【００３８】
一方、球抜操作部材４０を初期位置から作動位置へ摺動させると、図１５に示すように流路切替弁３０の作用杆３４が持上げられながら回動し、流路切替弁３０の開閉弁部３３が傾倒して球排出通路１８を閉塞する。また、球抜操作部材４０の第一規制片４３が上昇し可動球受部材５８の支持部６３との当接が解かれるため、可動球受部材５８がコイルバネ６２に引っ張られて球供給通路１７から離れる方向へ移動する。そのため、球供給通路１７に連なっているパチンコ球がすべて球抜通路１９へと排出されていくことになる。
【００３９】
また、この第四実施の形態に係る球払出装置Ａ４も、球抜操作部材４０の第一規制片４３と可動球受部材５８の支持部６３との摺動時間を流路切替弁３０の開閉弁部３３が傾倒する時間よりも遅らせているので、球排出通路１８が閉塞される前に可動球受部材５８が移動することはなく、ひいては、球抜きの際に、誤って球排出通路１８にパチンコ球を流下させてしまうことはない。
【００４０】
以上説明した実施の形態では、ケース体１５から構成される球払出装置Ａ１，Ａ２，Ａ３，Ａ４を例として示したが、必ずしもこれに限るわけではなく、例えば、パチンコ遊技機Ｐの裏側を覆う機構板、又は本体枠に本発明に係る球払出装置を直接形成しても良い。
【００４１】
また、本実施の形態では、可動球受部材２５，５８が球供給通路１７に面し、可動球受部材２５，５８の一側面が球供給通路１７の壁の一部となっているものを例として説明したが、これに限られるわけではない。例えば、球供給通路の一部にスリットを開口し、当該スリットから可動球受部材の一部が出し入れ可能となるような構成としてもよい。
【００４２】
さらに、本実施の形態では、可動球受部材と流路切替弁との間に形成される球抜口の幅が１２ｍｍから１４ｍｍ程度となるように設定されている例を示したが、これに限られるわけではない。もっとも、球払出装置のコンパクト化を実現するためには、パチンコ球の１．５球分の幅である１７ｍｍ以下にしておくことが望ましい。
【００４３】
また、本実施の形態では、球抜操作部材を可動球受部材と流路切替弁に連携させて球抜き操作を行う例を示したが、これに限られず、流路切替弁が球排出通路へ遊技球を排出し得ない位置に達した以後に可動球受部材が可動するように電気的に制御するようにしてもよい。
【符号の説明】
【００４４】
６              球受皿
１７            球供給通路
１８            球排出通路
１９            球抜通路
２０            球払出手段（スプロケット）
２５            可動球受部材
３０            流路切替弁
４０            球抜操作部材
４３            規制部（第一規制片）
４４            第二規制片
４７            電気的駆動手段（ステッピングモータ）
５８            可動球受部材
Ａ１            球払出装置
Ａ２            球払出装置
Ａ３            球払出装置
Ａ４            球払出装置
Ｐ              遊技機（パチンコ遊技機）
【図１】
0006042098.tif 000002
【図２】
0006042098.tif 000003
【図３】
0006042098.tif 000004
【図４】
0006042098.tif 000005
【図５】
0006042098.tif 000006
【図６】
0006042098.tif 000007
【図７】
0006042098.tif 000008
【図８】
0006042098.tif 000009
【図９】
0006042098.tif 000010
【図１０】
0006042098.tif 000011
【図１１】
0006042098.tif 000012
【図１２】
0006042098.tif 000013
【図１３】
0006042098.tif 000014
【図１４】
0006042098.tif 000015
【図１５】
0006042098.tif 000016